(57)【特許請求の範囲】
【請求項１】
一端側を回動可能に支持され、乗りかごの天井に取付けられた照明器具の下側を覆う覆い位置と前記照明器具の下側を開放する開放位置との間で上下方向回動可能な照明カバーと、
前記照明カバーを覆い位置でロックする第１ロック機構と、
前記照明カバーを覆い位置でロックする第２ロック機構と、
を有し、
前記第２ロック機構は、
前記照明カバーの他端側にスライド可能に取付けられ、スライド方向に沿った方向に位置する小径部と大径部とを有するダルマ穴が形成されたスライド部材と、
前記乗りかご内に設けられ、前記照明カバーが覆い位置に位置する場合には前記ダルマ穴に挿通され、前記大径部に挿通されている場合には前記照明カバーを開放位置へ回動させることにより前記大径部から抜け出し可能であり、前記小径部に挿通されている場合には前記照明カバーが開放位置へ回動することを規制するロックピンと、
を備え、
前記スライド部材は、直角に屈曲された第１屈曲部と第２屈曲部とを有し、
前記第１屈曲部に前記ダルマ穴が形成され、
前記第２屈曲部に、前記スライド部材を前記照明カバーにスライド可能に取付ける取付部材が挿通される長穴が形成され、
前記第２屈曲部には、前記スライド部材のスライド方向に沿った方向に向けて前記第１屈曲部より延出した延出部が設けられ、
前記延出部に前記長穴が形成されている、
ことを特徴とするエレベータ乗りかごの照明カバー装置。
【請求項２】
前記スライド部材のスライド方向に沿った一端側に、前記スライド部材をスライドさせる場合に押圧される押圧操作部が設けられていることを特徴とする請求項１記載のエレベータ乗りかごの照明カバー装置。
【発明の詳細な説明】
【技術分野】
【０００１】
本発明の実施形態は、エレベータ乗りかごの照明カバー装置に関する。
【背景技術】
【０００２】
エレベータの乗りかごには、乗りかご内を照明する天井照明装置が設けられており、エレベータの天井照明装置の一例として下記特許文献１に記載されたものが知られている。特許文献１に記載されたエレベータの天井照明装置には、かご室の天井に取付けられた照明器具の下側を覆う覆い位置と、照明器具の下側を開放する開放位置との間で上下方向回動可能な可動部（照明カバー）を備えたエレベータ乗りかごの照明カバー装置が設けられている。
【０００３】
このようなエレベータ乗りかごの照明カバー装置には、照明カバーを覆い位置でロックするためのロック装置が設けられている。
【０００４】
照明器具の交換やメンテナンス、清掃等の作業は、ロック装置による照明カバーのロック状態を解除し、照明カバーを開放位置へ回動させて行っている。
【０００５】
また、特許文献１には、図９に示すように、ロック装置が誤動作して照明カバーが開放位置へ不意に回動することを防止するため、第２のロック装置としてロックネジを設けることが記載されている。
【先行技術文献】
【特許文献】
【０００６】
【特許文献１】特開２０１０−６５７２号公報
【発明の概要】
【発明が解決しようとする課題】
【０００７】
特許文献１の図９に記載されたエレベータ乗りかごの照明カバー装置では、照明器具の交換やメンテナンス、清掃等の作業を行う場合には、ロックネジによるロック状態を解除し、ついで、ロック装置によるロック状態を解除した後、照明カバーを開放位置へ回動させている。
【０００８】
ロックネジによるロック状態を解除する場合や、作業終了後にロックネジをロック状態に戻す場合には、作業員が手作業でロックネジを回している。
【０００９】
ロックネジを回す作業は、乗りかご内に設けられたケース側板と乗りかごの側板との間の狭いスペースに手を入れて行うため、手間がかかっている。さらに、ロックネジをロック状態に戻す場合には、ロックネジの先端部と照明カバーの側面に形成されているネジ穴との位置合わせを行なわなければならず、手間がかかっている。したがって、ロックネジを用いた場合には、照明カバーを覆い位置と開放位置との間で回動させる作業に手間と時間とがかかっている。
【００１０】
なお、ロックネジをロックしたりロック解除したりする操作性を高めるためには、ロックネジの取付位置を照明カバーの側面の下側に寄せることが考えられる。しかし、その場合には、ロックネジがエレベータ利用者から見え易くなってエレベータの美観を損ねることになり、さらに、エレベータ利用者によりロックネジをいたずらされ易くなる。
【００１１】
本発明はこのような課題を解決するためになされたもので、その目的は、第１ロック機構に加えて第２ロック機構を設けることにより覆い位置に回動させた照明カバーのロックを確実に行うとともに、第２のロック機構のロック操作及びロック解除操作を容易に行えるようにすることである。
【課題を解決するための手段】
【００１２】
実施形態のエレベータ乗りかごの照明カバー装置は、一端側を回動可能に支持され、乗りかごの天井に取付けられた照明器具の下側を覆う覆い位置と前記照明器具の下側を開放する開放位置との間で上下方向回動可能な照明カバーと、前記照明カバーを覆い位置でロックする第１ロック機構と、前記照明カバーを覆い位置でロックする第２ロック機構と、を有し、前記第２ロック機構は、前記照明カバーの他端側にスライド可能に取付けられ、スライド方向に沿った方向に位置する小径部と大径部とを有するダルマ穴が形成されたスライド部材と、前記乗りかご内に設けられ、前記照明カバーが覆い位置に位置する場合には前記ダルマ穴に挿通され、前記大径部に挿通されている場合には前記照明カバーを開放位置へ回動させることにより前記大径部から抜け出し可能であり、前記小径部に挿通されている場合には前記照明カバーが開放位置へ回動することを規制するロックピンと、を備え、前記スライド部材は、直角に屈曲された第１屈曲部と第２屈曲部とを有し、前記第１屈曲部に前記ダルマ穴が形成され、前記第２屈曲部に、前記スライド部材を前記照明カバーにスライド可能に取付ける取付部材が挿通される長穴が形成され、前記第２屈曲部には、前記スライド部材のスライド方向に沿った方向に向けて前記第１屈曲部より延出した延出部が設けられ、前記延出部に前記長穴が形成されている、ことを特徴とする。
【図面の簡単な説明】
【００１３】
【図１】本発明の第１の実施の形態のエレベータ乗りかごの照明カバー装置を備えたエレベータの全体構造を示す断面図である。
【図２】かご室の断面図である。
【図３】図２に示したかご室のＡ−Ａ線断面図である。
【図４】第１ロック機構と第２ロック機構とを拡大して示す断面図である。
【図５】第２のロック機構のスライド部材を示す斜視図である。
【図６】スライド部材のダルマ穴の小径部にロックピンが挿通されている状態を示す平面図である。
【図７】スライド部材のダルマ穴の大径部にロックピンが挿通されている状態を示す平面図である。
【発明を実施するための形態】
【００１４】
本発明の一実施の形態を図面に基づいて説明する。図１に示すように、エレベータ１は、昇降路２内に配置された乗りかご３と釣合いおもり４とを備えている。エレベータ１が設置されている建物の各利用階には、乗りかご３に乗り降りするためのエレベータホール５が設けられている。エレベータホール５には、ホール出入口６と昇降路２との間を開閉するホールドア７が設けられている。
【００１５】
昇降路２の上方には機械室８が設けられ、機械室８内には、巻上機９と、エレベータ１の全体を制御する制御装置１０とが設けられている。巻上機９は、メインシーブ１１と、このメインシーブ１１を回転駆動するモータ１２とを備えている。メインシーブ１１にはメインロープ１３が巻き掛けられ、メインロープ１３の両端には乗りかご３と釣合いおもり４とが釣瓶式に連結されている。
【００１６】
乗りかご３は、かご枠１４とかご室１５とを備えている。かご枠１４は、水平方向に延びた上梁と下梁、及び、鉛直方向に延びた一対の縦枠を枠状に組み立てて形成されている。かご室１５は、エレベータ利用者が乗車可能な箱形に形成され、かご枠１４の内側に取付けられている。
【００１７】
かご室１５は、図２及び図３に示すように、かご床１６と、側板１７と、天井側板１８と、天井板１９と、かごドア２０とを有している。
【００１８】
天井側板１８は、天井板１９の周縁部に固定されて下方に延びるとともに、その下端部がかご室１５の外側に向けて水平方向に折れ曲がっている。そして、折れ曲がった天井側板１８の下端部に側板１７の上端部が連結されている。
【００１９】
かご室１５の天井板１９には、蛍光灯などの照明器具２１と、照明器具２１を覆う照明カバー装置２２とが取付けられている。
【００２０】
照明カバー装置２２は、照明カバー取付部２３と、照明カバー２４と、第１ロック機構２５と、第２ロック機構２６とを備えている。
【００２１】
照明カバー取付部２３は、天井側板１８に固定されており、照明器具２１の水平方向の外周部を囲む四辺形の枠状に形成されるとともに、各辺の断面形状がＬ字形に形成されている。
【００２２】
照明カバー２４は、照明器具２１から出射された光を透光する素材により四辺形の板状に形成され、照明器具２１の下側を覆う覆い位置と照明器具２１の下側を開放する開放位置との間で上下方向回動可能に照明カバー取付部２３に取付けられている。照明カバー取付部２３への照明カバー２４の取付けは一対のヒンジ２７を用いて行われており、ヒンジ２７の上部が照明カバー取付部２３に固定され、ヒンジ２７の下部に水平方向の軸心を有する支軸２８により照明カバー２４が連結されている。なお、一対のヒンジ２７は、照明カバー２４の一端側の両側に配置されている。
【００２３】
第１ロック機構２５は、図３において実線で示す覆い位置に回動させた照明カバー２４をその覆い位置でロックするための一つ目の機構であり、フック２９と、フック保持部３０と、ラッチ３１とを備えている。
【００２４】
フック保持部３０は、照明カバー２４の他端側（ヒンジ２７が設けられている側の反対側）における照明カバー２４の上面両側に一対固定され、このフック保持部３０にフック２９が回動可能に保持されている（図４参照）。ラッチ３１は、照明カバー取付部２３に固定され、照明カバー２４が覆い位置に位置する場合にフック２９と上下方向で対向する位置に配置されている。フック２９を回動させることによりラッチ３１に引っ掛けることが可能であり、フック２９を回動させてラッチ３１に引っ掛けることにより、覆い位置に位置している照明カバー２４が第１ロック機構２５によるロックされる。また、フック２９を回動させてラッチ３１への引っ掛かりを解除することにより、第１ロック機構２５による照明カバー２４のロックが解除される。
【００２５】
フック２９には、フック２９をラッチ３１に引っ掛ける位置とフック２９への引っ掛かりを解除する位置とへ回動させるための操作レバー３２が設けられている。フック２９を回動させるための操作レバー３２の操作は、例えば、操作治具（図示せず）を側板１７と照明カバー２４の側面との間の隙間から差し込んで行う。
【００２６】
第２ロック機構２６は、図３において実線で示す覆い位置に回動させた照明カバー２４をその覆い位置でロックするための二つ目の機構であり、スライド部材３３と、ロックピン３４とを備えている。
【００２７】
スライド部材３３は、図５に示すように直角に屈曲された第１屈曲部３５と第２屈曲部３６とを有し、照明カバー２４の他端側の側面にスライド可能に取付けられている。スライド部材３３のスライド方向は、照明カバー２４が覆い位置に位置する場合における水平方向とされている。なお、照明カバー２４へのスライド部材３３の取付けは、図３、図６及び図７に示すように、第２屈曲部３６を照明カバー２４の側面に対向させる向きに行われている。
【００２８】
第２屈曲部３６には、スライド部材３３のスライド方向に沿った方向に向けて第１屈曲部３５より延出した延出部３６ａが設けられている。
【００２９】
スライド部材３３の第１屈曲部３５には、スライド部材３３のスライド方向に沿った方向に位置する小径部３７と大径部３８とを有するダルマ穴３９が一対形成されている。
【００３０】
スライド部材３３の延出部３６ａには、スライド部材３３のスライド方向に沿った長い長穴４０が形成されている。この長穴４０には、スライド部材３３をスライド可能に照明カバー２４に取付ける取付部材である取付ネジ４１が挿通され、取付ネジ４１と長穴４０とは相対的にスライド可能とされている。なお、取付ネジ４１の頭部４１ａの直径は、長穴４０の幅寸法より大きく形成されている。
【００３１】
ロックピン３４は、乗りかご３内の不動部である天井側板１８における水平方向に折れ曲がった部分に固定された部材であり、照明カバー２４が覆い位置に位置する場合にはロックピン３４の一端側がダルマ穴３９に挿通されている。ロックピン３４におけるダルマ穴３９に挿通される側の端部には、小径部３７の幅寸法より大きく、大径部３８の幅寸法より小さい直径の頭部３４ａが形成されている。
【００３２】
図７に示すようにロックピン３４が大径部３８に挿通されている場合には、照明カバー２４を開放位置へ回動させることによりロックピン３４が大径部３８から抜け出し可能であり、照明カバー２４を開放位置へ回動させることが可能となる。また、図６に示すようにロックピン３４が小径部３７に挿通されている場合には、照明カバー２４を開放位置へ回動させようとした場合には頭部３４ａが小径部３７の縁部に干渉して小径部３７から抜け出せず、照明カバー２４が開放位置へ回動することが規制される。
【００３３】
スライド部材３３のスライド方向に沿った一端側である第１屈曲部３５の一端側には、スライド部材３３をスライドさせる場合に押圧される押圧操作部４２が屈曲形成されている。なお、この押圧操作部４２は、スライド部材３３をスライドさせる場合に押圧される個所に形成されていればよく、例えば、第１屈曲部３５の他端側に形成されていてもよく、あるいは、第２屈曲部３６のスライド方向に沿った端部に形成されていてもよい。
【００３４】
このような構成において、図２及び図３において実線で示す照明カバー２４は、覆い位置に位置するとともにその覆い位置で第１ロック機構２５と第２ロック機構２６とによりロックされた状態を示している。第１ロック機構２５は、フック２９を回動させてラッチ３１に引っ掛けることにより照明カバー２４を覆い位置でロックしている。また、第２ロック機構２５は、ロックピン３４が小径部３７に挿通される位置にスライド部材３３をスライドさせることにより照明カバー２４を覆い位置でロックしている。
【００３５】
このように、覆い位置に位置する照明カバー２４が第１ロック機構２５と第２ロック機構２６とによって二重にロックされることにより、覆い位置に位置する照明カバー２４に対して様々な振動や衝撃が加わった場合でも、照明カバー２４のロック状態が外れて照明カバー２４が開放位置に不意に回動するという誤動作を防止することができる。
【００３６】
照明器具２１の交換やメンテナンス、清掃等の作業を行う場合には、作業員がかご室１５内に入り、図３において実線で示す覆い位置でロックされている照明カバー２４を、図３において二点鎖線で示す開放位置へ回動させる。
【００３７】
覆い位置でロックされている照明カバー２４を開放位置へ回動させる場合には、まず、第２ロック機構２６によるロック状態を解除し、ついで、第１ロック機構２５によるロック状態を解除し、その後、照明カバー２４を開放位置へ回動させる。
【００３８】
第２ロック機構２６は、図６に示すように、ロックピン３４がダルマ穴３９の小径部３７に挿通される位置にスライド部材３３をスライドさせることによりロック状態とされている。この図６に示す状態からスライド部材３３をスライドさせ、図７に示すようにロックピン３４をダルマ穴３９の大径部３８に位置させることにより、第２ロック機構２６によるロック状態が解除される。なお、この場合のスライド部材３３のスライドは、取付ネジ４１が長穴４０内をスライドするようにスライド部材３３をスライドさせることにより行える。
【００３９】
第２ロック機構２６によるロック状態を解除した後は、例えば、操作治具を側板１７と照明カバー２４の側面との間の隙間から差し込み、操作レバー３２を押圧してフック２９を回動させる。この回動によってフック２９のラッチ３１への引っ掛かりを解除することにより、第１ロック機構２５によるロック状態が解除される。
【００４０】
第２ロック機構２６によるロック状態と第１ロック機構２５によるロック状態とを解除した後、ヒンジ２７の支軸２８を支点として照明カバー２４を下方向きに回動させる。この回動操作時には、ロックピン３４は大径部３８の縁部に干渉することなく大径部３８から抜け出し、照明カバー２４は図３において二点鎖線で示す開放位置へ回動する。
【００４１】
ここで、第２ロック機構２６によるロック状態を解除する作業は、ロックピン３４が小径部３７に挿通されているスライド部材３３をスライドさせ、ロックピン３４を大径部３８に挿通させるようにすればよい。したがって、第２ロック機構２６によるロック状態を解除する操作を、手間と時間とをかけずに容易に行うことができる。さらに、スライド部材３３のスライド操作は、スライド部材３３に形成されている押圧操作部４２を押すことにより行えるので、そのスライド操作を容易に行うことができる。
【００４２】
照明器具２１の交換やメンテナンス、清掃等の作業を終了した後に照明カバー２４を覆い位置に戻してロックする場合には、まず、開放位置に位置している照明カバー２４を覆い位置に回動させる。なお、照明カバー２４を覆い位置に回動させることにより、ロックピン３４がダルマ穴３９の大径部３８に挿通される。ついで、操作治具を用いて操作レバー３２を押圧し、フック２９を回動させてラッチ３１に引っ掛け、第１ロック機構２５をロック状態とする。その後、スライド部材３３をスライドさせ、ロックピン３４を小径部３７に挿通させ、第２ロック機構２６をロック状態とする。
【００４３】
したがって、第２ロック機構２６をロック状態にする操作を、スライド部材３３をスライドさせることにより手間と時間とをかけずに容易に行うことができる。
【００４４】
スライド部材３３を照明カバー２４に取付ける取付ネジ４１が挿通される長穴４０は、第２屈曲部３６の延出部３６ａに形成されている。このため、スライド部材３３を取付ネジ４１により照明カバー２４に取付ける場合や、スライド部材３３の交換、調整等を行うために取付ネジ４１を操作する場合において、第１屈曲部３５が邪魔にならずに取付ネジ４１の操作を容易に行うことができる。
【００４５】
なお、第２ロック機構２６によるロック状態を解除したり第２ロック機構２６をロック状態に戻す操作は、スライド部材３３をスライドさせることにより行えるとともに、ダルマ穴３９とロックピン３４との位置合わせが不要である。このため、スライド部材３３を含む第２ロック機構２６の取付位置を照明カバー２４の側面の上側に寄せても、第２ロック機構２６のロック解除操作、及び、第２ロック機構２６をロック状態に戻す操作を容易に行える。そして、スライド部材３３の取付位置を照明カバー２４の側面の上方寄りの位置とすることにより、スライド部材３３を含む第２ロック機構２６がエレベータ利用者から見えにくくなり、乗りかご３内の美観を向上させることができる。さらに、第２ロック機構２６がエレベータ利用者から見えにくくなることにより、第２ロック機構２６に対するいたずらを抑制することができる。
【符号の説明】
【００４６】
３      乗りかご
２１      照明器具
２２      照明器具ケース
２４      照明カバー
２５      第１ロック機構
２６      第２ロック機構
３３      スライド部材
３４      ロックピン
３５      第１屈曲部
３６      第２屈曲部
３６ａ    延出部
３７      小径部
３８      大径部
３９      ダルマ穴
４０      長穴
４１      取付部材
４２      押圧操作部
【図１】
0005603178.tif 000002
【図２】
0005603178.tif 000003
【図３】
0005603178.tif 000004
【図４】
0005603178.tif 000005
【図５】
0005603178.tif 000006
【図６】
0005603178.tif 000007
【図７】
0005603178.tif 000008